(57)【特許請求の範囲】
【請求項１】
被介護者の胴体部が載置される縦長形状の第１マット部と、前記縦長形状の前記第１マット部の下部に結合され前記被介護者の脚部が載置される第２マット部と、前記第２マット部の下部に結合され前記被介護者の脚部を覆う第３マット部と、前記第１マット部の左右側部に設けられた第１取手部とを備え、前記第１マット部は、前記第２マット部および前記第３マット部を収納する収納部を有する介護マット。
【請求項２】
前記第２マット部および前記第３マット部のそれぞれの左右側部に設けられた、前記第２マット部および前記第３マット部の着脱を可能にする結合部と、前記第２マット部の左右側部に設けられた第２取手部とを備え、前記第２マット部の左右側部の前記結合部のそれぞれは、前記第３マット部の左右側部の前記結合部のそれぞれと結合される請求項１に記載の介護マット。
【請求項３】
前記第１取手部は、前記第１マット部の左右側部のそれぞれに２個設けられた請求項１に記載の介護マット。
【請求項４】
前記第１マット部および前記第３マット部は、キルティングからなる請求項１に記載の介護マット。
【発明の詳細な説明】
【技術分野】
【０００１】
本発明は、被介護者などに使用される介護マットに関する。
【背景技術】
【０００２】
高齢化社会を迎え、被介護者（以後、利用者と言う）の数が年々増加している。また、不慮の事故により若年層の利用者も増えている。介護施設での看護や介護のみならず、我が国は在宅介護を推奨している現状にある。従来の介護マットは、利用者をベッドからストレッチャー、車椅子に移動させることに重きを置いている。また、利用者を介護する際、抱き起こす、体位変換させる（寝返りさせる）等、介助者の身体的負担を軽減させる器具も多くない。
例えば、特許文献１には、折り畳み可能な細長い形状を有し患者の身長方向に展開可能なシートと、シート長手方向の中央部及び両端部に各々配設された引き紐とを備え、引き紐は、シートの各側縁部に各一端が固着され中間部分は位置が固定されていない患者移乗用具が開示されている。
【０００３】
この患者移乗用具によれば、患者の背中の片側からにシートを挿入して、他方側から引き紐を引っ張って、患者の背中にシートを展開する。車椅子に患者を移動する場合や車椅子から患者をベッドに移す場合は、患者の背面に常にこのシート配置している。
【０００４】
また、例えば、特許文献２には、被介護者を載せるマットと、マットの両端部に取りつけられた１組の取手紐と、マット背面側に開口部を有する筒状シートと、を備えた被介護者移動マットが開示されている。
この被介護者移動マットによれば、取手紐を移動方向に引き、利用者を乗せたマットを、筒状シートの上で利用者の身体の横方向に移動させることで利用者を移動させる。
【先行技術文献】
【特許文献】
【０００５】
【特許文献１】特開２０１３−１６５８３８号
【特許文献２】実用新案登録第３１８９７９５号
【発明の概要】
【発明が解決しようとする課題】
【０００６】
しかしながら、特許文献１、２に記載の介護マットは、ベッドからストレッチャー又は、ストレッチャーからベッドに滑動させて利用者を移動させるだけのものである。したがって、仰向けで寝ている利用者に対して上半身を起こす、半身に向きを変えて寝返りをうたせる、車椅子又はベッドから抱きかかえて立たせるという動作は出来ない、という課題を有している。このように、従来の介護マットは、マットに利用者を乗せて横にスライドさせて移動するのみが目的であった。したがって、脚に障害を有する利用者などを移動させる場合は、マットから脚がはみ出したりして、利用者の脚を傷つけることがあった。
本発明は、利用者および介助者共に快適かつ、安心安全な介護生活が送れるようにとの観点から、上記課題を解決すべく開発されたものである。
本発明は、上半身を起こす、半身に向きを変えて寝返りをうたせるなどの動作を利用者は痛みを伴わず安全にかつ、容易に利用者を移動させることのできる介護マットを提供することを目的とする。
【課題を解決するための手段】
【０００７】
本発明の介護マットは、被介護者の胴体部が載置される縦長形状の第１マット部と、縦長形状の第１マット部の下部に結合され被介護者の脚部が載置される第２マット部と、第２マット部の下部に結合され被介護者の脚部を覆う第３マット部と、第１マット部の左右側部に設けられた第１取手部とを備え、第１マット部は、第２マット部および第３マット部を収納する収納部を有する。
【発明の効果】
【０００８】
本発明によれば、利用者に負担をかけることなく、容易に利用者を抱き起こしたり、寝返りをさせたり、移動させたりすることのできる介護マットを提供することが出来る。
【図面の簡単な説明】
【０００９】
【図１】本発明の介護マットを示す正面図である。
【図２】本発明の介護マットを示す背面図である。
【図３】本発明の介護マットの使用状態を示す図である。
【図４】本発明の介護マットの寸法を説明する図である。
【図５】本発明の介護マットの第１マット部を示す正面図である。
【図６】本発明の介護マットの第２マット部を示す正面図である。
【図７】本発明の介護マットの第３マット部を示す正面図である。
【図８】本発明の介護マットを示す側断面図である。
【図９】本発明の介護マットを示す他の側断面図である。
【図１０】本発明の介護マットの使用状態を示す図である。
【図１１】本発明の介護マットの使用状態を示す図である。
【図１２】本発明の介護マットの使用状態を示す図である。
【図１３】本発明の介護マットの他の使用状態を示す図である。
【図１４】本発明の介護マットの他の使用状態を示す図である。
【図１５】本発明の介護マットの他の使用状態を示す図である。
【図１６】本発明の介護マットのさらに他の使用状態を示す図である。
【図１７】本発明の介護マットのさらに他の使用状態を示す図である。
【図１８】本発明の介護マットのさらに他の使用状態を示す図である。
【図１９】本発明の介護マットのさらに他の使用状態を示す図である。
【図２０】本発明の介護マットのさらに他の使用状態を示す図である。
【図２１】本発明の介護マットの別の使用状態を示す図である。
【図２２】本発明の介護マットの別の使用状態を示す図である。
【図２３】本発明の介護マットの別の使用状態を示す図である。
【図２４】本発明の介護マットの別の使用状態を示す図である。
【図２５】本発明の介護マットの使用時の要部を示す図である。
【発明を実施するための形態】
【００１０】
以下、本発明の実施形態について図面を参照して詳細に説明する。
【００１１】
図１〜図９を用いて本発明の介護マットの一実施形態について説明する。
本実施形態の介護マット１０は、利用者２００の胴体部２０１（図３参照）が載置される縦長形状の第１マット部２０と、縦長形状の第１マット部２０の下部に結合され利用者２００の脚部２０２（図３参照）が載置される第２マット部３０と、第２マット部３０の下部に結合され利用者２００の脚部２０２を覆う第３マット部４０と、第１マット部２０の左右側部に設けられた第１取手部１０１、１０２とを備えている。
【００１２】
また、本実施形態の介護マット１０は、第２マット部３０および第３マット部４０のそれぞれの左右側部に設けられた着脱可能な結合部１２１、１２２としての面ファスナーと、第２マット部３０の左右側部に設けられた第２取手部１０３とを備え、第２マット部３０の左右側部の着脱可能な結合部１２１のそれぞれは、第３マット部４０の左右側部の着脱可能な結合部１２２のそれぞれと結合される。
【００１３】
また、本実施形態の介護マット１０は、第１マット部２０が、第２マット部３０および第３マット部４０を収納する収納部５０（図８、９参照）を有する。第１マット部２０は、図８、９に示されるように、表面部２０Ａと裏面部２０Ｂの２枚の生地から構成され、表面部２０Ａ（利用者２００が載置される側の生地）および裏面部２０Ｂのそれぞれの上辺部２１、左辺部２２、右辺部２３は、互いに縫い合わされ、下辺部２４は縫い合わされずに解放されている。図１〜図７の点線はそれぞれ、第１マット部２０の上辺部２１、左辺部２２、右辺部２３が縫い合わされた縫い合わせ部７０ａ、７０ｂ、７０ｃを示している。
【００１４】
また、本実施形態の介護マット１０は、第１取手部１０１、１０２が、第１マット部２０の左右側部のそれぞれに２個設けられている。すなわち、左側部に第１取手部１０１、１０２の２つと、右側部に第１取手部１０１、１０２の２つが設けられている。
また、本実施形態の介護マット１０は、第１マット部２０の表面部２０Ａ（利用者２００が載置される側の生地）および第３マット部４０は、キルティングの素材（キルティング材）からなる。
【００１５】
さらに詳細には、本発明の実施形態に係る介護マット１０は、利用者２００の頭部２０３の少なくとも一部および胴体部２０１（腰部および臀部を含む）を保持する第１マット部２０、利用者２００の脚部２０２を保持する第２マット部３０、利用者２００の脚部２０２を覆って保持する第３マット部４０の３つのマット部から構成される。
第１マット部２０の左右側部（長方形状の左辺部２２および右辺部２３）には、ループ状の紐などからなる、それぞれ２つずつ合計４つの取手部１０１、１０２を備える。第２マット部３０の左右側部（左辺部３２および右辺部３３）にはそれぞれ１つずつ合計２つのＵ字形状の紐などの取手部１０３を備える。
【００１６】
第１取手部１０１は、利用者２００の肩甲骨部分に位置しており、第１取手部１０２は、利用者２００の臀部部分に位置している。本実施形態では、左右側部の第１取手部１０１は１つのループ状の材料を用いることにより一体化されており、同様に左右側部の第１取手部１０２は同様に１つのループ状の材料を用いることにより一体化されている。
図２では一体化された第１取手部１０１、１０２を示しており、点線はそれぞれ、第１マット部２０と第１取手部１０１および第１取手部１０２との縫い合わせ部７０ｄおよび縫い合わせ部７０ｅを示している。本実施形態では、第１取手部１０１、１０２は、第１マット部２０の裏面部２０Ｂに縫い付けられているために、縫い合わせ部７０ｄ、７０ｅは図２の背面図のみに現れている。
【００１７】
これら第１取手部１０１、１０２は、左右で一体化されなくとも、Ｕ字形状の取手を、第１マット部２０の左側部の上方部および下方部、ならびに右側部の上方部および下方部にそれぞれ独立して設けられても良い。
【００１８】
第２取手部１０３は、第２マット部３０の中央部下方の左右側部に、本実施の形態では、独立して設けられている。しかし、第２取手部１０３は左右側部で、第１取手部１０１、１０２のように一体化されても良い。第２取手部１０３と第２マット部３０とは、点線で示す縫い合わせ部７０ｆで縫い合わされている。本実施形態では、第２マット部３０は裏地を有しており、第２取手部１０３は、第２マット部３０の表地と裏地との間に縫い付けられているため、縫い合わせ部７０ｆは図２の背面図のみに現れている。
【００１９】
第２マット部３０の左右側部（左辺部３２および右辺部３３）には、着脱可能な結合部１２１としての面ファスナーが設けられている。同様に、第３マット部４０の左右側部（左辺部４２および右辺部４３）には、着脱可能な結合部１２２としての面ファスナーが設けられている。第２マット部３０は図１の正面図では、表面（利用者２００の脚部２０２が載置される面）にキルティング材が用いられている。第３マット部４０も裏地を有しており、図１の正面図では、裏面（折り返したときに外側になる面）にキルティング材が用いられている。したがって、図１に示す正面図では、第１マット部２０、第２マット部３０はキルティング材の絵柄が見え、第３マット部４０はキルティング材の裏地が見える。第３マット部４０を、第２マット部３０を覆うように折り返したときは、第３マット部４０はキルティング材の絵柄が見えることになり、外観の美観が高まる。
【００２０】
第２マット部３０に設けられた結合部１２１は、図１、３に示すように、第２マット部３０の左右側部のそれぞれにおいて、下辺部３４から中央上方部まで設けられている。第３マット部４０の結合部１２２も、同様に、図１、３に示すように、第３マット部４０の左右側部のそれぞれにおいて、下辺部４４から中央上方部まで設けられている。第３マット部４０は第２マット部３０を覆うように、ほぼ第２マット部３０の下辺部３４（第３マット部４０の上辺部４１）で折り返され、結合部１２１と結合部１２２とが結合されるように構成されている。
【００２１】
すなわち、第２マット部３０に載置される利用者２００の脚部２０２を第３マット部４０で覆って保持および固定するように、結合部１２１と結合部１２２とが結合される。結合部１２１、１２２を面ファスナーで構成することにより、結合部１２１、１２２の着脱が可能となり、第３マット部４０の第２マット部３０への折り返しが容易となる。しかし、結合部１２１、１２２は面ファスナーに限らず、線ファスナー、凹凸状のホック、ボタンとボタン穴などでも構成できる。しかし、面ファスナーは利用者などに傷などを与える可能性がなく、迅速に着脱が行える。
【００２２】
本実施形態では、結合部１２１および結合部１２２が、それぞれ長さＪ、Ｋを有しているので、結合部１２１と結合部１２２との結合点を、ほぼ長さＪ＋Ｋの範囲で調整できる。したがって、利用者２００の脚部２０２の長さや、足の大きさ、脚部の不自由さなどに応じて、第２マット部３０と第３マット部４０で利用者２００の脚部２０２を覆って保持する力加減を調整でき、利用者２００に負荷を課することはない。
【００２３】
本実施形態の介護マット１０は、図４に示すように、第１マット部２０は短辺がＡ、長辺がＢの長方形状である。第２マット部３０は短辺がＭ、長辺がＣの長方形状である。第３マット部４０は、短辺がＭ、長辺がＤの長方形状である。
【００２４】
取手部１０１は、第１マット部２０の上部の短辺（上辺部２１）からＥだけ離れた位置にＦの幅で、第１マット部２０の裏面部２０Ｂに縫い付けられている。第１取手部１０２は、第１取手部１０１の下方からＧだけ離れた位置にＨの幅で、第１マット部２０の裏面部２０Ｂに縫い付けられている。したがって、第１取手部１０２の下方は、第１マット部２０の下部の短辺（下辺部２４）からＩだけ離れた位置に設けられる。第２マット部３０の両側部に設けられた結合部１２１は、第２マット部３０の下辺部３４から長さがＪ、幅がＬの帯状の面ファスナーである。第３マット部４０の両側部に設けられた結合部１２２は、第３マット部４０の下辺部４４から長さがＫ、幅がＬの帯状の面ファスナーである。
【００２５】
ここで、これら寸法は、本実施形態では、例えば、Ａが４８０ｍｍ、Ｂが１０１０ｍｍ、Ｃが５８０ｍｍ、Ｄが３７０ｍｍ、Ｅが１１０ｍｍ、Ｆが１８０ｍｍ、Ｇが４３０ｍｍ、Ｈが１８０ｍｍ、Ｉが１１０ｍｍ、Ｊが３７０ｍｍ、Ｋが２３０ｍｍ、Ｌが５０ｍｍ、Ｍが４１０ｍｍである。
【００２６】
収納部５０は、本実施形態では、第１マット部２０と一体に形成されている。すなわち、第１マット部２０は、縦長形状で下方に開口部１１０を有する扁平筒形状の袋状を有している。すなわち、図８、９に示すように、第１マット部２０は、同一形状の表面部２０Ａおよび裏面部２０Ｂを構成する２枚の生地（キルティング材）から構成され、第１マット部２０の上辺部２１、左辺部２２、右辺部２３において表面部２０Ａおよび裏面部２０Ｂが縫い付けられ、下辺部２４が開口部１１０を有している。すなわち、それぞれ、図１、図２の点線で示す縫い付け部７０ａ、７０ｂ、７０ｃで縫い付けられている。
【００２７】
本実施形態では、図８に示されるように、第１マット部２０の表面部２０Ａの下辺部２４の内側に、第２マット部３０の上辺部３１が縫い合わされている。
【００２８】
また、本実施形態では、図８に示すように、第１マット部２０の裏面部２０Ｂの内側の下部と、第２マット部３０の上辺部３１の外側（表面側）とには、それぞれ互いに直脱可能な第１マット結合部１２３が形成されている。本実施形態では、第１マット結合部１２３も面ファスナーで構成されているが、凹凸状のホック、ボタンおよびボタン穴、など他の部材でも構成可能である。しかし、利用者２００に傷の可能性などの不快感を与えないためには面ファスナーが好適である。
【００２９】
なお、本実施形態では、第１マット部２０を、同一形状の表面部２０Ａおよび裏面部２０Ｂで構成したが、裏面部２０Ｂの下方を表面部２０Ａより少し長くして、裏面部２０Ｂの表面部２０Ａより長い延長部に第１マット結合部１２３を形成することも可能である。
【００３０】
以上のような構成により、図９に示すように、第２マット部３０を、第１マット部２０との縫い合わせ部で裏面側に折り返して開口部１１０から挿入することにより、第２マット部３０と第３マット部４０を第１マット部２０の収納部５０に収納することができる。このとき、第１マット部２０の第１マット結合部１２３と第２マット部３０の第１マット結合部１２３とを結合することにより、収納部５０の開口部１１０を閉じて、第２マット部３０および第３マット部４０の収納部５０からの脱落を防止できる。
【００３１】
２つの第１マット結合部１２３は互いに着脱可能に結合できて収納部５０の開口部１１０を閉じることができればよいので、第２マット部３０に第１マット結合部１２３を設ける替わりに、第１マット部２０の表面部２０Ａの下辺部２４の内側に第１マット結合部１２３を設け、第１マット部２０の表面部２０Ａと裏面部２０Ｂとで開口部１１０を閉じることも可能である。
【００３２】
また、第２マット部３０を第１マット部２０の裏面部２０Ｂの下辺部２４の内側に縫い付け、第２マット部３０を、第１マット部２０との縫い合わせ部で表面側に折り返すことにより、第２マット部３０と第３マット部４０を第１マット部２０の収納部５０に収納することも可能である。この場合は、第１マット部２０の表面部２０Ａの下辺部２４の内側に第１マット結合部１２３を設け、さらに第２マット部３０の上辺部３１の外側（裏面側）に、第１マット結合部１２３を設け、これら２つの第１マット結合部１２３を結合することにより、開口部１１０を閉じることが可能である。しかし、利用者２００に対する縫い目の段差などによる負担を考えると、本実施形態が好適である。
【００３３】
図８に示すように、第２マット部３０は、上辺部３１が、袋状の第１マット部２０の開口部１１０の表面部２０Ａの下辺部２４の内側に縫い付けられている。第３マット部４０は、上辺部４１が第２マット部３０の裏面側下辺部３４に縫い合わせて一体化されている。
【００３４】
本発明の使用状態を示す図１３の矢印に示すように、第３マット部４０を第２マット部３０の表面側に折り返し、着脱可能な結合部１２１と結合部１２２とを結合する。これにより、第２マット部３０と第３マット部４０とで形成される袋状部分に利用者２００の脚部２０２を保持、固定することができる。なお、第２マット部３０と第３マット部４０とを１枚の生地で構成し、第２マット部３０と第３マット部４０との境界部分に縫い目を付けるなどして、第２マット部３０と第３マット部４０とを折り返し可能に構成することも可能である。
【００３５】
上記したように、第２マット部３０と第３マット部４０は、第１マット部２０と第２マット部３０との結合部で裏面側に折り返して、収納部５０に収納され、第１マット部２０および第２マット部３０の第１マット結合部１２３同士が結合され、開口部１１０が閉じられる。すなわち、この状態では、第１マット部２０は、表面部２０Ａと、裏面部２０Ｂと、収納部５０内の第２マット部３０および第３マット部４０との三重構造になる。
【００３６】
以上のように本実施形態では、不使用時には、第２マット部３０と第３マット部４０を収納部５０に収納した状態で保管する。使用する際には、四肢の機能に障害を有する利用者２００に対しては、第２マット部３０、第３マット部４０を収納部５０から取り出し、第３マット部４０を第２マット部３０の表面側に折り返し、結合部１２１、１２２を結合する（面ファスナーの場合は互いに貼付ける）。このように、第３マット部４０を第２マット部３０の表面側に折り返して着脱可能な結合部１２１、１２２で結合することにより、第２マット部３０と第３マット部４０とで両足を入れる袋を作ることができ、利用者２００の両足（脚部２０２）を保持、固定することができる。また、第１取手部１０１、１０２、第２取手部１０３を把持して、３名の介助者で利用者２００を持ち上げ、容易に移動することができる。
【００３７】
また、脚部２０２の機能に障害を有しない利用者２００に対しては、第２マット部３０、第３マット部４０を収納部５０に収納した三重構造のままで、第１マット部２０に利用者２００を載置して、第１取手部１０１、１０２を把持して介助者２名で利用者２００の移動を行うことができる。
【００３８】
第１マット部２０の収納部５０に第２マット部３０、第３マット部４０を収納することでコンパクト化することが出来、２名の介助者で利用者２００を持ち上げ、浮かせての移動が可能である。コンパクトに収納した介護マット１０は、介護の必要な寝たきりの利用者に対して、三重構造のクッション性を有してベッドに敷いたままに出来、仰向きに寝た状態の利用者を起こす、体位を変える、寝返りを打たせる、の動作が容易に出来る。
【００３９】
また、椅子に座ったままの利用者２００に対しては、収納部５０に第２マット部３０、第３マット部４０を収納した状態で、さらに４つ折りにした介護マット１０を利用者の両脇に挟み、介助者が第１取手部１０１を手前上部に引き寄せることで痛みを伴わずに立たせることが出来る。
【００４０】
介護マット１０は、利用者２００を載置して搬送などするためのものでもあり、強度を保ち、かつ利用者の肌に馴染みやすく、通気性、即乾性にも優れているキルティング材を、図１〜５に示すように縫製して（第１マット部２０は二重に縫製して）使用する。
【００４１】
介護マット１０に使用する第１取手部１０１、１０２、第２取手部１０３は、手芸用カラーテープを使用する。手芸用カラーテープは軽量で丈夫な素材であり、手芸用カラーテープを第１マット部２０の裏面部２０Ｂ、第２マット部３０の裏地（底部）に幾重にも渡って縫製することにより、介護マット自体の強度を増すことができる。手芸用テープを、例えば、キルティング材に縫製する際、第１取手部１０１、１０２、第２取手部１０３の長さを第１マット部２０、第２マット部３０の本体左右側部から外側に突出するように縫製する。
【００４２】
図１〜５に示す第１マット部２０は、表面部２０Ａおよび裏面部２０Ｂで二重にしたキルティング材の開口部１１０を除き、上辺部２１、左辺部２２、右辺部２３の３つの辺の縁をそれぞれ縫い合わせ、第１マット部２０全体を袋状にして収納部５０を形成する。第１マット部２０の開口部１１０の裏面部２０Ｂの内側に、図８、９に示すように、第１マット結合部１２３としての面ファスナーを縫い合わせる。第１マット部２０の開口部１１０から、図６に示す第２マット部３０および図７に示す第３マット部４０を、両者を一体にした状態で収納部５０に挿入して収納する。第１マット部２０の収納部５０に第２マット部３０および第３マット部４０を収納した介護マット１０は、脚部２０２に障害のない利用者２００に対して使用する。
【００４３】
図６に示すように、第２マット部３０の左辺部３２、右辺部３３のそれぞれの下方には着脱可能な結合部１２１としての面ファスナーを縫い合わせる。また、図７に示すように、第３マット部４０の左辺部４２、右辺部４３のそれぞれの下方には、着脱可能な結合部１２１としての面ファスナー１２２を縫い合わせる。これにより、着脱可能な結合部１２１、１２２を結合することで、利用者２００の脚部２０２を第２マット部３０および第３マット部４０を包んで保持、固定できる。結合部１２１、１２２の長さを適宜設定することにより、利用者２００の脚部２０２を保持、固定する程度を調整できる。
【００４４】
次に、本実施形態にかかる介護マット１０の製造方法の一例について説明する。
まず、横４８０ｍｍ、縦１９６０ｍｍの大きさで、厚さ７ｍｍのキルティング材と、横４８０ｍｍ、縦１０１０ｍｍの大きさで、厚さ７ｍｍのキルティング材との２枚のキルティング材と手芸用カラーテープを縫製して介護マット１０を制作する。
【００４５】
介護マット１０は、生地にキルティング材を用いるため強度を保つことができる。強度を更に高めるために、キルティング材を二重とすることも可能である。横４８０ｍｍ、縦１９６０ｍｍの大きさのキルティング材から、第１マット部２０に対応する横４８０ｍｍ、縦１０１０ｍｍの大きさのキルティング材と、第２マット部３０に対応する横４１０ｍｍ、縦５８０ｍｍの大きさのキルティング材と、第３マット部４０に対応する横４１０ｍｍ、縦３７０ｍｍの大きさのキルティング材とを切り出す。
【００４６】
第１マット部２０に対応する横４８０ｍｍ、縦１０１０ｍｍの大きさの２枚のキルティング材は、一方を表面部２０Ａとし、他方を裏面部２０Ｂとして、２枚共、絵柄のある面を外側にして縫製する。第２マット部３０に対応する横４１０ｍｍ、縦５８０ｍｍの大きさのキルティング材と、第３マット部４０に対応する横４１０ｍｍ、縦３７０ｍｍの大きさのキルティング材とには、それぞれ裏地を縫い合わせる。
【００４７】
図１、４に示す正面図では、第１マット部２０は表面部２０Ａのキルティング材の面が、第２マット部３０はキルティング材の面が、第３マット部４０はキルティング材の裏地の面が、利用者２００の載置面となるように、第１マット部２０、第２マット部３０、第３マット部４０が縫い合わされる。第１マット部２０の表面部２０Ａの下辺部２４の内側と第２マット部３０の上辺部３１の外側とが縫い合わされ（図８、９参照）、第２マット部３０の下辺部３４と第３マット部４０の上辺部４１とが縫い合わされる。
【００４８】
手芸用カラーテープを、第１マット部２０の裏面部２０Ｂに対応するキルティング材の内側面、第２マット部３０に対応するキルティング材と裏地との間、のそれぞれに幾重にも縫付けて合計６個（左右各３個）の第１取手部１０１、１０２、第２取手部１０３を取り付ける。
【００４９】
第１マット部２０の収納部５０を形成するため、第１マット部２０のキルティング材の表面部２０Ａおよび裏面部２０Ｂの上辺部２１、左辺部２２、右辺部２３の縁のみを縫い合わせ、下辺部２４に開口部１１０を設けて袋状にする。
【００５０】
また、図２、８、９に示すように、袋状の開口部１１０（第１マット部２０の裏面部２０Ｂの下辺部２４）の中央部に第１マット結合部１２３としての面ファスナー１２３を縫い合わせる。
【００５１】
また、図６に示すように、第２マット部３０のキルティング材の絵柄のある表面側（裏地とは反対側）の左辺部３２および右辺部３３のそれぞれの下部に長さ３７０ｍｍ、幅５０ｍｍの結合部１２１としての面ファスナーを縫い合わせる。第２マット部３０のキルティング材の絵柄のある表面側（裏地とは反対側）の上辺部３１の中央部に、第１マット結合部１２３としての面ファスナー１２３を縫い合わせる。
【００５２】
さらに、図７に示すように、第３マット部４０のキルティング材の裏地面側（絵柄のある表面側とは反対側）の左辺部４２および右辺部４３のそれぞれの下部に長さ２３０ｍｍ、幅５０ｍｍの結合部１２２としての面ファスナーを縫い合わせる。
【００５３】
第２マット部３０と第３マット部４０とを縫い合わせて一体化し、扁平筒形状の袋状の第１マット部２０の下辺部２４に、第３マット部４０と一体に形成された第２マット部３０の上辺部３１を縫製して介護マット１０が完成する。なお、第２マット部２０と第３マット部４０とは、１枚の生地から形成されても良いし、図６の第２マット部３０と図７に示す第３マット部とが縫製されて形成されても良い。
【００５４】
以上のように縫製することにより、第１マット部２０には収納部５０が形成され、第２マット部３０と第３マット部４０とにより、利用者２００の脚部２０２を包む袋状部分を形成できる。また、第２マット部３０に利用者２００の脚部２０２を載置して第３マット部４０を第２マット部上に折り返したとき、介護マット１０の表面側にはキルティング材の絵柄が現れ、利用者２００に明るい影響を与える。また、第２マット部３０および第３マット部４０を収納部５０に収納したとき、第１マット部２０の表面部２０Ａおよび裏面部２０Ｂのキルティング材の絵柄が、第１マット部２０の外面として現れるので、介護マット１０の保管や持ち運びなどに美観を損なわない。
【００５５】
このようにして得られた介護マット１０は、第１マット部２０の収納部５０に第２マット部３０および第３マット部４０を収納することにより、介護マット１０のコンパクト化を図ることができる。さらに、介護マット１０は、第１マット部２０、第２マット部３０および第３マット部４０の三重構造の厚みで高いクッション性が得られる。
【００５６】
以上のようにして、介護マット１０を製造することが出来る。なお、本発明は、このような製造方法に限らず、第１〜第３マット部２０〜４０を一体として縫製するなど、任意の製造方法を採用できる。
【００５７】
次に、図１０〜図２４に従って、本実施形態に係る介護マット１０の使用方法の一例について説明する。
【００５８】
図１０〜図１２は、介護マット１０を利用者２００の背面とベッド４００との間に配置する使用状態を説明する図である。
【００５９】
まず、介護マット１０は、収納部５０に第２マット部３０および第３マット部４０を収納した状態で使用する。図１０に示すように、ベッド４００上で寝ている利用者２００を、矢印で示す左方向に変換させ、介護マット１０の第１マット部２０を、長手方向に平行な方向で折り曲げて、利用者２００の背中にあてがう。
【００６０】
次に、図１１に示すように、利用者２００を矢印で示す右方向に変換させ、利用者２００の左方向から第１マット部２０を引っ張って第１マット部２０をベッド４００の上に展開する。次に、図１２に示すように、利用者２００を左方向に変換させ、利用者２００を介護マット１０の第１マット部２０の上に仰向けにさせて、介護マット１０を利用者２００の背中とベッド４００との間に敷く。介護マット１０は、素材がキルティング材のため、介護マット１０を丸めたり折り曲げたりする作業が容易であるため、簡単に利用者の背中に敷くことができる。
【００６１】
図１３〜１５は、四肢に障害を有する利用者２００の移動の使用状態を説明する図である。
【００６２】
まず、第２マット部２０、第３マット４０を収納部５０から引き出し、図１０〜図１２で説明した手順で、図１３に示すように、介護マット１０を利用者２００の背中に敷く。
次に、利用者２００を仰向けにさせた状態で、図１３の矢印に示すように、第２マット部３０の結合部（面ファスナー）１２１および第３マット部４０の結合部（面ファスナー）１２２を貼り合わせて、第３マット部４０で第２マット部３０上の脚部２０２を覆うようにして、利用者２００の両足を入れる脚袋を作る。
【００６３】
このような状態で、利用者２００を移動する際は、図１４に示すように、介助者３０１〜３０３の３名で利用者２００の身体を浮かせて移動する。すなわち、介護マット１０の左右、足許に介助者３０１、３０２、３０３がそれぞれ立ち、介助者３０１、３０２が第１取手部１０１、１０２を、介助者３０３が第２取手部１０３をそれぞれ一つずつ片手で持ち、利用者２００の身体を浮かせて移動する。
【００６４】
さらに、利用者２００を車椅子４０１移動する際は、図１５に示すように、利用者２００の身体を浮かせて移動した後、介護マット１０を敷いたままゆっくりと車椅子４０１に乗車させる。このとき、第２マット部３０および第３マット部４０が結合部（面ファスナー）１２１、１２２により利用者２００の脚部２０２を保持して固定しているので、利用者２００の足元を乱すことなく、脚部２０２をフットレスト（足を乗せるステップ）４０２に乗せることができ、適切に利用者２００を車椅子４０１に乗せることができる。
【００６５】
第２マット部３０の結合部（面ファスナー）１２１と第３マット部４０の結合部（面ファスナー）１２２は、利用者２００の脚部２０２０を第２マット部３０に載置してから結合しても、先に結合して脚袋を形成してから利用者２００の脚部２０２を挿入しても良い。
【００６６】
いずれにしても、本実施形態では、第３マット部４０を第２マット部３０に折り返して結合部１２１、１２２で結合しているので、身長の大小にかかわらず適正に利用者２００の脚部２０２を保持、固定できる。
【００６７】
さらに、第２マット部３０および第３マット部４０のそれぞれの左右側部に形成された着脱可能な結合部（面ファスナー）１２１、１２２の結合であるため、脚部にマチ（空間）４０４が生まれ、利用者２００の脚部２０２の移動の自由度を確保することができ、利用者２００に不快感を与えることはない。結合部（面ファスナー）１２１、１２２が、本実施形態のように、長さＪまたはＫを有することにより、結合位置を調整可能とすることができ、結合の程度を調整することができ、利用者２００の快適な位置で脚部２０２を保持、固定できる。
【００６８】
図２５は、本発明の介護マットの使用時の要部を示す図であって、第２マット部３０および第３マット部４０で利用者２００の脚部２０２を保持、固定している脚部２０２を示す拡大図である。図２５では、結合部（面ファスナー）１２１、１２２を長さ方向すべてに結合しているので、脚２０２の両側部は覆われており、図１５に示すような、側面から見た時のマチ（空間）４０４は現れないが、第２マット部３０および第３マット部４０で形成される袋状の内部ではマチ（空間）が発生している。
【００６９】
このように、本実施形態の介護マット１０の特徴の１つは、図１３、図１５、図２５に示すように、第３マット部４０を第２マット部３０の表面側に折り返して面ファスナー１２１、１２２で結合し、利用者２００の脚部２０２を包むことができる点にある。利用者２００の脚部２０２を第２マット部３０および第３マット部４０で包むことにより、車椅子４０１に乗車させた利用者２００のフットレスト４０２の前後左右やステップ間の隙間から片足または両足を床面に落とす脱落事故を防止することができる。更に車椅子４０１に乗車させた状態の利用者２００を介護福祉車両（介護タクシーなど）に乗車させるとき、車椅子４０１を介護福祉車両に搭載のウインチで車内に移動させる際に生じるフットレスト４０２の前後左右やステップ間の隙間から、利用者２００の片足が落ちる事故も防止することができる。また、足を骨折した状態の利用者２００をベッド４００からストレッチャーに移乗させる際、利用者２００の両足を包むことにより固定が出来、安全に移乗することができる。さらに、介護マット１０の素材がキルティング材であることから、レントゲン撮影時も利用者２００は介護マット１０を敷いた状態で、両足を包んだ状態での安定した撮影が可能である。このように利用者２００の脚２０２を保持、固定する必要性があることは、いつも利用者の傍で介護をしている者でないと理解できないことであり、脚を包むことによって、利用者も介護者も安心、安全な介護が行える。
【００７０】
図１６〜図２０は、第１マット部２０の収納部５０に第２マット部３０および第３マット部４０を収納した状態で利用者２００の体位を変える動作を説明する図である。
【００７１】
図１６は、利用者２００が仰向けで寝ている状態を示している。図１０〜１２で説明した動作で、利用者２００を介護マット１０の上に寝かせる。
【００７２】
図１７は、仰向けで寝ている利用者２００の上半身を介助者３０１が、介護マット１０の左右両方の両肩甲骨部分の第１取手部１０１を把持し、介助者３０１が、矢印に示すように、手前に引き起こしている状態を示している。介助者３０１は、仰向けで寝ている利用者２００の右腹部あたりに座り、又は立った状態で介護マット１０の左右両方の両肩甲骨部分の第１取手部１０１のそれぞれ左右を持ち、手前に引いて利用者２００の上半身を起こす。
【００７３】
図１８は、仰向けで寝ている利用者２００を、矢印に示す右向きに寝返りを打たせている状態を示している。介助者３０１は利用者２００が寝ている左側の肩甲骨部分の第１取手部１０１および左側の臀部部分の第１取手部１０２をそれぞれ片手で一つずつ持ち、手前に引いて右側に寝返りを打たせる。
【００７４】
図１９は、仰向けで寝ている利用者２００を、矢印に示す左向きに寝返りを打たせている状態を示している。介助者３０１は仰向けで寝ている利用者２００の右側に座り、介護マット１０の右側の肩甲骨部分の第１取手部１０１および右側の臀部部分の第１取手部１０２をそれぞれ片手で一つずつ持ち、利用者２００の左側に押し込むようにして左に寝返りを打たせる。なお、このとき、まくらなどの補助具４０３を利用者２００の臀部部分にあてがうと寝返りを打たせやすい。
【００７５】
図２０は、仰向けで寝ている利用者２００を二人の介助者３０１、３０２が利用者２００の身体を浮かせて移動する状態を示している。介助者３０１、３０２の２名がそれぞれ左右の位置又は前後に立ち、右側に立った介助者３０２が右側の肩甲骨部分の第１取手部１０１および臀部部分の第１取手部１０２を持ち、左側に立った介助者３０１が左側の肩甲骨部分の第１取手部１０１および左側の臀部部分の第１取手部１０２を持って持ち上げ、移動する。
【００７６】
図１６〜２０に示す介護マット１０の利用では、利用者２００は脚部２０２に障害がないため、第２マット部３０および第３マット部４０で利用者２００の脚部２０２を保持していない。しかし、利用者２００の脚部２０２に障害がなくても、第２マット部３０および第３マット部４０で利用者２００の脚部２０２を保持、固定して移動することは可能である。利用者２００が高齢者の場合は、第２マット部３０および第３マット部４０で利用者２００の脚部２０２を保持、固定することは効果的である。
【００７７】
上記したように本実施形態では、第２マット部３０と第３マット部４０の左右側部の着脱可能な結合部１２１、１２２で利用者２００の脚部２０２を覆うため、脚部２０２の周囲にマチ（空間）４０４を確保でき、利用者２００に不快感を与えずに脚部２０２を保持、固定できる。
【００７８】
図２１〜図２４は本実施形態の介護マット１０の他の使用形態を説明する図である。
【００７９】
図２１は、第２マット部３０および第３マット部４０を収納部５０に収納した状態で、介護マット１０（すなわち第１マット部２０）を４つ折りに畳む方法を示す図である。まず、第１マット部２０の開口部１１０から収納部５０に第２マット部３０および第３マット部４０を入れて収納する（ステップａ〜ｂ）。
【００８０】
次に、介護マット１０の短辺と平行な方向で介護マット１０を中央部で折り返す（ステップｃ〜ｄ）。第１取手部１０１、１０２は第１マット部２０のそれぞれ短辺から同じ位置に設けられているので、介護マット１０を中央部で折り返したときに、第１取手部１０１、１０２は互いに重なるように位置する（ステップｄ）。
【００８１】
次に、介護マット１０の短辺と平行な方向で介護マット１０を第１取手部１０１（１０２）の縫い付け部でさらに折り返す（ステップｅ〜ｆ）。
【００８２】
これにより、第２マット３０および第３マット４０を収納して４つ折りにして第１取手部１０１、１０２同士を合わせた介護マット１０が得られる（ステップｇ）。
【００８３】
図２２は、車椅子４０１に座った状態の利用者２００の背中から両脇の下にかけて、図２１に示す方法で４つ折りに畳んだ介護マット１０を挟んだ状態を示している。図２３は、利用者２００の両脇左右に挟んだ第１取手部１０１、１０２を介助者３０１が利用者２００の正面に立ち、左右それぞれの第１取手部１０１、１０２を持ち、介助者３０１の胸元まで引き付けて利用者２００を立たせた状態を示している。図２４は、利用者２００を引き上げたままベッド４００にゆっくりと座らせた状態を示している。
【００８４】
従来の介護方法は、介助者が車椅子に乗った状態の利用者の正面に立ち、利用者の背中に介助者が両手を組んで引き上げ、立たせている。このような従来の介護方法では、場合によっては介助者の肌が利用者の皮膚に擦れて利用者の皮膚が剥がれたり、痛みも伴ったりする。本実施形態の介護マット１０を使用することで、利用者と介助者とが直接に肌を合わせることもなくなり、利用者の皮膚が剥がれたり、痛みが伴ったりすることはない。
以上に述べたように、本実施形態の介護マット１０を用いることで、施設介護だけでなく在宅介護においても、利用者２００を、痛みを伴わず容易にベッド４００から車椅子４０１やストレッチャーに移動させることができる。また、寝たきりの利用者に対しても容易に体位変換をさせることができ、床擦れ予防になる。介護マット１０は柔らかいキルティング材を二重にして縫製していることから軽量でありかつ、丈夫である。
【００８５】
また、本実施形態の介護マット１０は、第１マット部２０の幅Ａが４８０ｍｍであるため、利用者２００の身体の下に入れ込み易いサイズでかつ、キルティング材の柔らかさも伴って違和感もない。従って、利用者２００の身体の下に敷いたままでの利用が可能である。また、キルティング材は通気性も良く洗濯も可能であり、即乾性にも優れている。
【００８６】
このように、本実施形態の介護マット１０は、キルティング材を素材としているため、
（１）通気性に優れ、柔らかくて軽く丈夫である。
（２）寝たきりの利用者にも違和感無く、布団やベッドに敷いたまま使用できる。
（３）洗濯が簡単で即乾性に優れ、清潔である。
（４）寝たきりの利用者に対して、起こす、体位を変える、ハンモックの様に持ち上げ、浮かせての移動、移乗が可能である。
（５）床擦れ防止に役立てることができる。
（６）四肢を動かせない利用者に対して両足を包み込むことにより、安全かつ、痛みを伴うことなく移動が可能である。
【００８７】
また、本実施形態の介護マット１０は、第１マット部２０の収納部５０の中は空洞になっているため、第２マット部３０および第３マット部４０を簡単に収納することができる。用途によっては容易にコンパクト化することができる。
【００８８】
本実施形態の介護マット１０は、第１マット部２０、第２マット部３０のキルティング材に、第１取手部１０１、１０２として手芸用カラーテープを合わせて縫製していることから、体重の重い利用者２００にも安心して使用できる。
【００８９】
本実施形態の介護マット１０は、今後、日本国のみならず諸外国においても実用可能である。さらに、在宅介護で利用者を自宅で介護する家庭や、病院、介護施設、介護福祉タクシー等、実用の範囲は広い。また、動物病院等、大型動物の移動にも使用できるものである。
【産業上の利用可能性】
【００９０】
本発明は、利用者に負担をかけずに利用者の介護を容易に行えるので、高齢者、傷害者だけでなく、動物などの介護マットに有効である。
【符号の説明】
【００９１】
１０  介護マット
２０  第１マット部
２０Ａ  表面部
２０Ｂ  裏面部
２１、３１、４１  上辺部
２２、３２、４２  左辺部
２３、３３、４３  右辺部
２４、３４、４４  下辺部
３０  第２マット部
４０  第３マット部
５０  収納部
７０ａ〜７０ｆ  縫い合わせ部
１０１、１０２  第１取手部
１０３  第２取手部
１１０  開口部
１２１、１２２  結合部
１２３  第１マット結合部
２００  利用者
２０１  胴体部
２０２  脚部
２０３  頭部
３０１、３０２、３０３  介助者
４００  ベッド
４０１  車椅子
４０２  フットレスト
４０３  補助具
４０４  マチ（空間）
【要約】
【課題】介護の必要な寝たきりの利用者に対して介助の他、四肢を動かすことができない利用者に対して痛みを伴わず安全に移動できる介護マットを提供する。
【解決手段】本発明の介護マット１０は、被介護者２００の胴体部が載置される縦長形状の第１マット部２０と、縦長形状の下部に結合され被介護者２００の脚部２０２が載置される第２マット部３０と、第２マット部３０の下部に結合され被介護者２００の脚部２０２を覆う第３マット部４０と、第１マット部２０の左右側部に設けられた第１取手部１０１、１０２とを備える。
【選択図】図１【図１】
0006695605.tif 000002
【図２】
0006695605.tif 000003
【図３】
0006695605.tif 000004
【図４】
0006695605.tif 000005
【図５】
0006695605.tif 000006
【図６】
0006695605.tif 000007
【図７】
0006695605.tif 000008
【図８】
0006695605.tif 000009
【図９】
0006695605.tif 000010
【図１０】
0006695605.tif 000011
【図１１】
0006695605.tif 000012
【図１２】
0006695605.tif 000013
【図１３】
0006695605.tif 000014
【図１４】
0006695605.tif 000015
【図１５】
0006695605.tif 000016
【図１６】
0006695605.tif 000017
【図１７】
0006695605.tif 000018
【図１８】
0006695605.tif 000019
【図１９】
0006695605.tif 000020
【図２０】
0006695605.tif 000021
【図２１】
0006695605.tif 000022
【図２２】
0006695605.tif 000023
【図２３】
0006695605.tif 000024
【図２４】
0006695605.tif 000025
【図２５】
0006695605.tif 000026